(57)【要約】【課題】従来、家具、什器、棚に物品を陳列している場合、地震や衝突などの振動により陳列している物品が、落下して床に散乱したり割れたりすることが多い。【解決手段】家具、什器、棚の前に取り付け、地震や衝突の振動を感知した瞬間、ブラインド状の部材が稼動し陳列している物品の落下防止を行う。【選択図】図１
2010012200.tif 000002
【特許請求の範囲】
【請求項１】
家具、什器、棚などに収納した物品が地震や衝突などの振動により内部から飛び出すことを防止する落下防止器具。
【請求項２】
上記器具は１枚１枚独立しており、転倒した物品を片付けるときに、片付けやすい位置で必要な枚数だけブラインド状の一部である帯状の部材を上方にずらすことで家具、什器、棚の内部に手を入れることができ、内部で転倒しているビン類や食器などを元に戻すことができることを特徴とする請求項１記載の落下防止器具。
【発明の詳細な説明】
【技術分野】
【０００１】  この発明は、落下防止器具の機構に関する。
【背景技術】
【０００２】  従来、家具、什器、棚に物品を陳列している場合、地震や衝突などの振動により陳列している物品が、落下して床に散乱したり割れたりすることが多い。
【発明の開示】
【発明が解決しようとする課題】
【０００３】倒れたり、散乱したり割れた物を片付けるには時間と労力が必要であり、商店の場合にはその間営業が停止することになる。また、壊れた破片で怪我をするなど危険も有する。
そこで、本発明は、家具、什器、棚に地震や衝突などの振動があっても陳列している物品の落下防止を提供することを課題とする。
【課題を解決するための手段】
【０００４】  以上の課題を解決するために、本発明は、家具、什器、棚の前に取り付け、地震や衝突の振動を感知した瞬間、ブラインド状の部材が稼動し陳列している物品の落下防止を行うことを特徴  とする器具である。
【発明の効果】
【０００５】  家具、什器、棚の前に取り付け、地震や衝突の振動を感知した瞬間、ブラインド状の部材が稼動し陳列している物品の落下防止を行うため、片付けに要する時間と労力を省くことができ、また、壊れた破片で怪我をする危険性がなくなる。
【発明を実施するための最良の形態】
【０００６】  この発明の一実施形態を、図１に示す。
落下防止器具の本体１ａはプラスチックや金属製であり、この本体１ａの側面には、家具５の内壁５１，５２に取り付ける一対のレール２１、２２に上下にスライド可能に取り付けられる。
下部のほぼ円筒形の部分は落下しやすくするためと補強のために形状である。１２ａは陳列品の落下を防ぐ面である。
棚の高さに合わせて、本体１ａと同形状である本体１ｂ、１ｃ、１ｄ…が重ねて取り付けられる。【０００７】  図２は本発明の作用の一例についての説明図である。（ａ）は家具５の棚板５３に瓶６１、６２が置いてある。この状態で家具５に振動が加わった場合、振動検知器３が振動を検知すると、束ねられて固定されていた本体１ａ〜１ｄを解放するので、本体１ａ〜１ｄは自重で落下していき所定の位置で止まり、瓶６１、６２が家具５の外に倒れて落下するのを防ぐ。【０００８】  図３は本体１ａ〜１ｄの稼働前の束ねられて固定されている状態である。本体１ａ〜１ｄは下端の１１ａ〜１１ｄの部分で検知器３の腕部材３１によって抑えられている。一方、一対のレール２１、２２の溝２１ａ〜２１ｄ及び２２ａ〜２２ｄは本体１ａ〜１ｄが所定の位置で止まるように取り付けたストッパー２５である。これらのストッパーは溝２１ａ〜２１ｄ及び２２ａ〜２２ｄに穴をあけ、その穴にネジ止めを行う。【０００９】    図４（ａ）に示されるように、本体下端１ａは解除装置３から出ているストッパー３１によって抑えられ、本体下端１ａから出ている部材１６ａが隣の本体下端１ｂを抑える。本体下端１ｂから出ている部材１６ｂが隣の本体下端１ｃを抑え、部材１６ａ〜１６ｃによって全体が抑えられている。家具内のスペースに効率よく収納しておくために本体１ａは隣の本体１ｂと湾曲した１３ａで重なる。本体１ｂもまた隣の１ｃと同様に重なる。【００１０】図５はレール２に本体１ａと１ｂが組み込まれた状態の断面図である。レール２は樹脂やアルミを使用し押し出し成形で作られる。レールの溝２１ａ、２１ｂには、本体下端１１ａおよび１１ｂの両端の略球形の突起がスライド可能な状態で取り付けられている。【００１２】  図６は検知器３が振動を検知し腕部材３１が束ねられて固定されていた本体１ａ〜１ｄを解放され、溝２１ａ〜２１ｄ及び２２ａ〜２２ｄを滑り落ちストッパー２３ａ，２３ｂ，２３ｃ，２３ｄによって所定の位置に止まったときの状態である。
こうして開口部を閉じられ、家具５の中の陳列品などは落下を免れる。【００１３】図７のように本体１ａを開くことで面１２ａが開き家具５内部に手を差し込めるようになり、倒れた物品を直すことができる。
本体１ｂ〜１ｄも開くことができるので、場合によっては上の本体１ｂも開いて直すこともできる。【００１４】  地震や振動の検知は検知器３で行われる。検知器３は、ストッパー３１を動かすソレノイド３３、振動検知や電源の回路が載った基板３４で構成され筐体３２に収められる。【００１５】  検知器３の検知方法としては、加速度センサーや振動センサーの利用が考えられる。電源は地震などで交流１００Ｖが切れたときも作動するように交流１００Ｖとした。通常は常時通電状態とし、ストッパー３１で本体１ａ〜１ｄを束ねて固定しておく。振動を検知したり、地震などによって停電になった場合にはストッパー３１が図４（ｂ）のようにソレノイドにより図の左側へ引かれるため開放状態となる。
「実施形態の効果」【００１６】  この実施形態によれば、地震や衝突などで陳列した物品が倒れたり、散乱したり割れた物を片付けるのに要する時間と労力が節減できる。また、壊れた破片で怪我をするなど危険も回避できる。【００１７】「他の実施形態」
図１の実施形態では、振動検知器として緊急地震速報の受信機の出力信号を用いてもよい。
【図面の簡単な説明】
【図１】この発明の実施例を示す落下防止器具の斜視図。
【図２】（ａ）は上記落下防止器具を家具内に取り付けたときの作動前の状態，（ｂ）は作動時の状態である。
【図３】は上記落下防止器具の作動前の状態を示す図。
【図４】は図３に対応する拡大図であり、解除部の部品構成図。
【図５】上記落下防止器具の本体端部がレールの溝に組み込まれている状態を示す断面図。
【図６】は上記落下防止器具の作動時の状態を示す図。
【図７】は上記落下防止器具の作動後、本体を回動できることを示す図。
【符号の説明】
１ａ，１ｂ，１ｃ，１ｄ…本体
１１ａ，１１ｂ，１１ｃ，１１ｄ…本体下端
１２ａ，１２ｂ，１２ｃ，１２ｄ…本体の面
１３ａ，１３ｂ，１３ｃ，１３ｄ…本体の湾曲した部分
１４ａ，１４ｂ，１４ｃ，１４ｄ…本体の上端
１６ａ，１６ｂ，１６ｃ，１６ｄ…ストッパー
２１、２２…レール
２１ａ，２１ｂ，２１ｃ，２１ｄ…レールの溝
２２ａ，２２ｂ，２２ｃ，２２ｄ…レールの溝
２３ａ，２３ｂ，２３ｃ，２３ｄ…ストッパー
３…解除部
３１…ストッパー
３２…筐体
３３…ソレノイド
３４…基板
５…家具
５１…家具内壁
５２…家具内壁
５３…家具棚板
６１…瓶
６２…瓶
【図１】
2010012200.tif 000003
【図２】
2010012200.tif 000004
【図３】
2010012200.tif 000005
【図４】
2010012200.tif 000006
【図５】
2010012200.tif 000007
【図６】
2010012200.tif 000008
【図７】
2010012200.tif 000009